(57)【特許請求の範囲】
【請求項１】
機構板の裏面上部に設けられる球タンクと、該球タンクに貯留されたパチンコ球を下流側へ整列しながら誘導する誘導レールと、該誘導レールの下流側に接続される誘導通路と、該誘導通路の流下端に着脱自在に取り付けられ前記誘導通路のパチンコ球が供給される球払出装置と、該球払出装置を取り外す際に前記誘導通路のパチンコ球の無用な落下を阻止するストッパー部材とを設けてなるパチンコ遊技機において、
前記ストッパー部材を、前記球払出装置の着脱動作に伴い誘導通路の流下端より上方に位置する支点を中心として回動するように設けると共にその下側に球通過部を設けてなり、該球通過部は前記球払出装置を取り付ける際、前記誘導通路の流下端に合致して該誘導通路のパチンコ球が通過でき、また前記球払出装置を取り外す際には、前記球通過部が前記支点を中心として斜め下方に回動離隔して前記誘導通路の流下端と食い違いが生ずる位置で停止し、前記パチンコ球を前記誘導通路の流下端と前記球通過部の球圧が加わる内側面上縁とで受け止めそのパチンコ球の無用な落下を阻止するように設けられていることを特徴とするパチンコ遊技機における誘導通路の球止め構造。
【請求項２】
前記ストッパー部材の支点は、前記誘導通路の流下端より上方であって、かつ前記球通過部が前記誘導通路の流下端から離隔して停止したとき、球圧が加わる前記球通過部の内側面上縁と該球通過部で受け止められるパチンコ球の中心とを通る直線より下方に位置する請求項２記載のパチンコ遊技機における誘導通路の球止め構造。
【請求項３】
前記ストッパー部材は、弾性手段により前記球通過部が常に前記誘導通路の流下端から強制的に離隔するように付勢されている請求項１又は２記載のパチンコ遊技機における誘導通路の球止め構造。
【発明の詳細な説明】
【０００１】
【発明の属する技術分野】
本発明は、パチンコ遊技機における誘導通路の球止め構造に関するものである。
【０００２】
【従来の技術】
従来、パチンコ遊技機の遊技盤裏面には周知のように合成樹脂製の機構板が装着されている。この機構板の裏面上部には球タンクが固着されており、該球タンクの下方に球タンクに貯留された景品球を下流側に整列しながら誘導する誘導レールが設けられている。また、誘導レールの下流側にはカーブレールを介して誘導通路が接続されており、該誘導通路の下方に入賞に基づく景品球としてまたは球貸しのためのパチンコ球を払い出す球払出装置が設けられている。
【０００３】
一方、前記球払出装置は、何らかの要因で故障したときに取外して修理又は交換ができるように機構板に対して着脱可能に装着されている。そして、球払出装置を取外したときに該球払出装置の取外し動作と連動し誘導通路を自動的に閉鎖してパチンコ球が無用に零れ落ちないようにするためのストッパー機構が設けられている。
【０００４】
【発明が解決しようとする課題】
しかしながら、前記ストッパー機構は、誘導通路と直交状に配置されるストッパー片を有し、該ストッパー片を球止め位置に付勢するスプリングにより前記誘導通路に対してほぼ直交状であってしかも直線的に出没する構造となっているため、球払出装置を取外して誘導通路を自動的に閉鎖したとき、誘導通路のパチンコ球の球圧が前記ストッパー片を付勢に抗して押し戻す方向に働いて、ストッパー片を押し戻し引いてはパチンコ球が摺り抜けて無用に落下してしまい、所期の目的が達成し得ないという課題が有った。特に、前記ストッパー片は落下して衝撃的に当るパチンコ球に対して戻り易く、有効な解決策が望まれている。
【０００５】
そこで、本発明は上記課題を解決するべくなされたもので、球払出装置を取り外したときに誘導通路を閉鎖してパチンコ球の無用な落下を阻止し所期の目的が間違いなく達成されるパチンコ遊技機における誘導通路の球止め構造を提供することを目的とするものである。
【０００６】
【課題を解決するための手段】
【０００７】
【０００８】
かかる目的を達成するため、本発明は、機構板の裏面上部に設けられる球タンクと、該球タンクに貯留されたパチンコ球を下流側へ整列しながら誘導する誘導レールと、該誘導レールの下流側に接続される誘導通路と、該誘導通路の流下端に着脱自在に取り付けられ前記誘導通路のパチンコ球が供給される球払出装置と、該球払出装置を取り外す際に前記誘導通路のパチンコ球の無用な落下を阻止するストッパー部材とを設けてなるパチンコ遊技機において、前記ストッパー部材を、前記球払出装置の着脱動作に伴い誘導通路の流下端より上方に位置する支点を中心として回動するように設けると共にその下側に球通過部を設けてなり、該球通過部は前記球払出装置を取り付ける際、前記誘導通路の流下端に合致して該誘導通路のパチンコ球が通過でき、また前記球払出装置を取り外す際には、前記球通過部が前記支点を中心として斜め下方に回動離隔して前記誘導通路の流下端と食い違いが生ずる位置で停止し、前記パチンコ球を前記誘導通路の流下端と前記球通過部の球圧が加わる内側面上縁とで受け止めそのパチンコ球の無用な落下を阻止するようにした構成が選ばれる。このように、パチンコ遊技機における誘導通路の球止め構造は、球払出装置を取り付ける際、ストッパー部材が前記球払出装置の動作と連動して球通過部が誘導通路の流下端に合致することとなり、誘導通路のパチンコ球が球払出装置へ供給可能となる。また、球払出装置を取り外す際、前記ストッパー部材が前記球払出装置の動作と連動して回動し、その球通過部が前記誘導通路の流下端から前記誘導通路と食い違うように斜め下方に回動離隔して停止することにより、パチンコ球が通過し得ないようになる。すなわち、前記球通過部は、誘導通路の流下端から離隔した停止位置では、パチンコ球の自重でそのまま摺り抜けたり、パチンコ球の球圧によりストッパー部材を押し戻して強制的に摺り抜けるといったことがないようにその姿勢が設定される。これによって、前記誘導通路のパチンコ球の無用な落下が阻止されることとなる。
【０００９】
更に、この場合、ストッパー部材の軸支部は、誘導通路の流下端より上方であって、かつ球通過部が誘導通路の流下端から離隔して停止したとき、球圧が加わる前記球通過部の内側面上縁と該球通過部で受け止められるパチンコ球の中心とを通る直線より下方に位置するようにすれば、受け止められるパチンコ球の球圧が球通過部を常に下方へ押すように働くので、パチンコ球の無用な落下をより一層効果的に阻止できる。
【００１０】
また、誘導通路のパチンコ球の無用な落下を阻止するため、ストッパー部材の球通過部が常に誘導通路の流下端から強制的に離隔されるように付勢するのが好ましい。
【００１１】
【発明の実施の形態】
次に、本発明の一実施の形態を図面を参照して説明する。図１は本発明が適用されるパチンコ遊技機の裏面図である。図において、１はパチンコ遊技機の外枠、２は外枠１の前面に開閉自在に装着される前面枠、３は前面枠２の裏面側に固着された遊技盤取付枠、４は遊技盤取付枠３に着脱自在に取着された遊技盤であって、該遊技盤４の裏面に合成樹脂製の機構板５が開閉自在に装着されている。
【００１２】
前記機構板５は、遊技盤４の裏面に相対する板状部５ａを有し、該板状部５ａの裏面上部に球タンク６が固着されている。球タンク６の下方には、該球タンク６に貯留されたパチンコ球を下流側に整列しながら誘導する誘導レール７が設けられている。また、該誘導レール７の下流側には誘導通路８が接続されており、該誘導通路８の流下端に球払出装置９が着脱可能に取着されている。また、球払出装置９の下方には、払い出されたパチンコ球を前面枠２の前面の打球供給皿（図示せず。）に導く排出通路１０と、打球供給皿の余剰球を下部球皿（図示せず。）に導く余剰球通路１１が形成されている。１２は、球タンク６内のパチンコ球の球抜きをするための球抜き通路である。
【００１３】
一方、機構板５の板状部５ａの前面には入賞球を集合する入賞球集合空間が形成されており、その下方部に入賞球集合部１３が設けられている。また、板状部５ａの裏面には入賞球集合部１３に集められた入賞球を１個ずつ排出処理する入賞球処理装置１４が設けられている。なお、入賞球集合空間を形成する板状部５ａ部分には開口窓１５が開設されており、該開口窓１５を塞ぐようにして入賞球集合カバー１６が遊技盤４の裏面に取着されている。そして、入賞球集合カバー１６の裏面にはパチンコ遊技機の遊技状態を制御するための回路基板を収納した基板ボックス１７が固着されており、該基板ボックス１７を開口窓１５から後方へ突出させるようにしている。
【００１４】
前記誘導通路８は、図２，図３に示すように中央部の通路壁によって内部に前後２条の球通路１８が区画形成され、しかもくの字状に屈曲して形成されている。
【００１５】
前記球払出装置９は、直方体状のケーシング１９を有し、その前面四隅に取着用の係合突部２０が形成されている。また、ケーシング１９の内部には図５に示すように前記誘導通路８の各球通路１８と連なる２条の球供給路２１が形成されており、該各球供給路２１の一側に開口２２から各球供給路２１内に一部が臨みステッピングモータ２３によって回転される一対のスプロケット部材２４を設けて構成されている。そして、前記ステッピングモータ２３の回転により各スプロケット部材２４を回転させることにより各球供給路２１に供給されるパチンコ球が排出通路１０へ払い出されるようになっている。
【００１６】
一方、前記誘導通路８の流下端の下方に位置した板状部５ａには、図３，図６に示すように球払出装置９を所定位置に正確に位置づけるためにケーシング１９の前面より上下方向にやゝ大きい面積を有する凹窪状の取付部２５が形成され、その取付部２５の周囲に前記係合突部２０を係合し得る係合規制部２６が突設され、かつ下部にコ字形の切溝２７を介してケーシング１９の前面下辺と係合する突起部２８を有する係合舌片２９が形成されている。
【００１７】
そして、この取付部２５に球払出装置９が着脱可能に取着されるもので、その取り付けは、ケーシング１９の前端を突起部２８に当接させて係合舌片２９を押圧すると共に、下端部を取付部２５の下辺に当接させ、その状態のまゝケーシング１９を上方に引き上げることにより各係合規制部２６と各係合突部２０とが係合し、さらに、ケーシング１９が突起部２８を通り過ぎると同時に係合舌片２９が弾発力で戻され、突起部２８がケーシング１９の前面下辺と係合して球払出装置９が取付部２５に取着される。一方、取付部２５から球払出装置９を取外す時は、係合舌片２９を指で後方へ押しながらケーシング１９を下方に引き下げて各係合突部２０を各係合規制部２６から引き出すことによって簡単に取外すことができるようになっている。
【００１８】
しかして、前記誘導通路８の一側に、球払出装置９を取り外す際、該誘導通路８の流下端を閉鎖してパチンコ球の無用な落下を阻止するストッパー部材３０が配設されている。該ストッパー部材３０は、合成樹脂材により形成され図４に示すように弧状に形成されている。そして、上端前後面に前記誘導通路８の一側に突設された一対の軸支片３１の軸支孔３２に嵌入する回動支点としての支軸３３が設けられ、下側端に前記各球通路１８に対応してパチンコ球が１個通過し得る大きさを有する枠状の球通過部３４が並設されている。
【００１９】
前記各支軸３３が各軸支孔３２に嵌入した状態では、ストッパー部材３０は鉛直面内で自在に回動し、上向きに回動したときは球通過部３４が誘導通路８の流下端に合致して各球通路１８と連通しパチンコ球が下方へ通過する。また、下向きに回動したときは板状部５ａに突設された停止ピン３５に当接して止まる。このとき、球通過部３４が斜め下方に離隔して前記誘導通路８と食い違い誘導通路８のパチンコ球が通過し得ないようになっている。ところで、図７（ａ）に示すように仮にストッパー部材３０の支軸３３が誘導通路８の流下端面Ｐに対して低い位置Ａにあると、球通過部３４の水平方向の変位が少なく誘導通路８とのずれが僅かとなり、誘導通路８の内側面Ｃと球通過部３４の内側面Ｄとの間隔ＣＤがパチンコ球の径より短くならず、そこからパチンコ球が自重で摺り抜けてしまうこととなる。また、図７（ｂ）に示すように仮にストッパー部材３０の支軸３３が誘導通路８の流下端面Ｐに対して高い位置Ｂにあると、球通過部３４と誘導通路８とのずれが大きくなり、誘導通路８の内側面Ｃと球通過部３４の内側面Ｄとの間隔ＣＤがパチンコ球の径より短くなり、誘導通路８を閉鎖してパチンコ球の無用な落下を一担阻止できるものの、逆に連続して連なるパチンコ球の球圧が掛かるとストッパー部材３０が逆に押し戻されて、ＣＤ間隔が広がりパチンコ球が摺り抜けてしまうといった事態が生ずる。よって、これら事態が生じないように球通過部３４の姿勢を設定するべく前記支点である支軸３３部の位置、並びに停止ピン３５の位置が決められる。
【００２０】
すなわち、図８に示すように誘導通路８の流下端Ｅからパチンコ球が流下するとき、該パチンコ球が流下し得る幅を決めるため誘導通路８の内側面下端Ｃ１を中心としてパチンコ球の直径を半径とする円弧状のラインを描き、該ラインの内側をパチンコ球の通過最小領域Ｌとする。そこで、ストッパー部材３０の支点である支軸３３は、誘導通路８の流下端Ｅより上方であって、かつ流下端Ｅから球通過部３４が離隔して停止したとき、球通過部３４の内側面上縁Ｄ１が前記通過最小領域Ｌの内側に位置するように選ばれ、同時に停止ピン３５の位置も、前記内側面上縁Ｄ１が前記通過最小領域Ｌの内側に位置するように設けられる。
【００２１】
特に、前記支軸３３は誘導通路８の流下端Ｅより上方であって、かつ流下端Ｅから球通過部３４が離隔して停止したとき、球通過部３４の内側面上縁Ｄ１と該球通過部３４に受け止められるパチンコ球の中心Ｏを通る直線Ｇより下方に位置することが好ましい。これにより、球通過部３４には受け止められるパチンコ球により常に下方に作用する力が働き、パチンコ球のすり抜けによる無用な落下をより効果的に阻止することができる。
【００２２】
ストッパー部材３０には、弾性手段として弾性片３６が一体に設けられている。該弾性片３６は誘導通路８の外側面に接し、球通過部３４が常に誘導通路８の流下端から強制的に離隔されるように付勢しており、ストッパー部材３０の動作を正確に行なわせ、パチンコ球の無用な落下を阻止させるためのものである。なお、他の弾性手段として、図７の弾性片３６を別部材で構成して弾性片３６が変形損傷した時に部品の交換ができるようにしても良く、また図示は省略するがストッパー部材３０と誘導通路８との間に圧縮コイルスプリングを介装するといった手段等を用いても良い。
【００２３】
このように構成された本発明によれば、通常の使用状態すなわち図２及び図５に示すように球払出装置９を取付部２５に取り付けた状態のときには、ストッパー部材３０が弾性片３６の弾発力に抗して球払出装置９の上面で押圧されて上向きに回動し、これによって球通過部３４が誘導通路８の流下端と合致し、さらに該誘導通路８の各球通路１８と球払出装置９の各球供給路２１とが各球通過部３４を介して連通されることとなり、誘導通路８のパチンコ球を球払出装置９へ連続して供給することができる。一方、この状態から図３および図６に示すように球払出装置９を取付部２５から取り外すと、弾性片３６の弾発力も働いてストッパー部材３０が下方へ回動して停止ピン３５の位置で停止する。そして、球通過部３４が誘導通路８の流下端から斜め下方に離隔して前記誘導通路８と食い違い状となり、これによって誘導通路８の各球通路１８が閉鎖されてパチンコ球の無用な落下を阻止することができる。
【００２４】
本実施の形態では、ストッパー部材３０を上端で軸支して回動し得るようにしたものとして説明したが、ストッパー部材３０自体に適度な弾性を持たせ、図９に示すようにその上端の回動支点３７を誘導通路８の外側面に接着などの手段を用いて一体に固着するようにしても良く、また図示は省略するが、取付部２５に球通過部３４を上端に設けたストッパー部材３０を斜めに直線的に上下動させると共に常に上方へ付勢されるようにし、該ストッパー部材３０を球払出装置９の脱着動作と連動させて上下動させ、球通過部３４を誘導通路８の流下端から離隔させるようにしても本実施の形態と同様の効果が得られる。
【００２５】
【発明の効果】
以上説明したところから明らかなように、本発明に係るパチンコ遊技機における誘導通路の球止め構造は、球払出装置の着脱動作に伴い誘導通路の流下端より上方に位置する支点を中心として回動するストッパー部材を設け、該ストッパー部材には前記球払出装置を取り外す際、誘導通路と食い違うように斜め下方に回動離隔してパチンコ球が通過し得ない球通路部を備える構成としたので、誘導通路のパチンコ球の無用な落下を阻止することができる。また、ストッパー部材の支点は、誘導通路の流下端より上方であって、かつ球通過部が誘導通路の流下端から離隔して停止したとき、球圧が加わる前記球通過部の内側面上縁と該球通過部で受け止められるパチンコ球の中心とを通る直線より下方に位置するようにすれば、受け止められるパチンコ球によって球通過部に常に下方へ作用する力が働き、パチンコ球の無用な落下をより効果的に阻止することができる。更に、ストッパー部材を弾性手段により球通過部が常に誘導通路の流下端から強制的に離隔されるように付勢するようにすればストッパー部材の動作をより正確に行うことができる。
【図面の簡単な説明】
【図１】  本発明が適用されるパチンコ遊技機の裏面図。
【図２】  球払出装置を取着した状態の要部斜視図。
【図３】  球払出装置を取外した状態の要部斜視図。
【図４】  ストッパー部材の斜視図。
【図５】  球払出装置を取着した状態の要部正面断面図。
【図６】  球払出装置を取外した状態の要部正面断面図。
【図７】  ストッパー部材の動作状態を示す説明図。
【図８】  ストッパー部材の動作状態を示す説明図。
【図９】  他の実施の形態に係るストッパー部材を用いた要部正面断面図。
【符号の説明】
５ 機構板
６ 球タンク
７ 誘導レール
８ 誘導通路
９ 球払出装置
３０ ストッパー部材
３４ 球通過部
３６ 弾性片
Ｃ１ 内側面下縁
Ｄ１ 内側面上縁
Ｅ 流下端
Ｇ 直線
Ｏ 中心
【図１】
0004329140.tif 000002
【図２】
0004329140.tif 000003
【図３】
0004329140.tif 000004
【図４】
0004329140.tif 000005
【図５】
0004329140.tif 000006
【図６】
0004329140.tif 000007
【図７】
0004329140.tif 000008
【図８】
0004329140.tif 000009
【図９】
0004329140.tif 000010